(57)【要約】      （修正有）【課題】送信元端末と宛先端末との両方に、位置通知用のアプリケーションを起動することなく、送信元ユーザのユーザデータと共に位置情報を簡易に通知する方法、サーバ及びプログラムを提供する。【解決手段】サーバは、送信元ユーザ及び宛先ユーザのアドレスを記憶し、送信元ユーザ及び宛先ユーザを識別可能なＵＲＬに、測位スクリプトを埋め込み且つユーザデータを入力可能なページを記憶する。最初に、送信元端末が、ＵＲＬに向けて第１のページ要求を送信し、サーバが、ページを送信元端末へ応答する。次に、送信元端末が、ページに埋め込まれた測位スクリプトを実行することによって測位部から位置情報を取得し、ページにユーザデータを入力させ、位置情報及びユーザデータをサーバへ送信する。そして、サーバが、ＵＲＬで識別される送信元アドレス及び宛先アドレスへ、送信元位置情報及びユーザデータが記述されたメッセージを送信する。【選択図】図２
2018160202.tif 000002
【特許請求の範囲】
【請求項１】
測位部を有する送信元端末と、宛先端末と、サーバとを有するシステムの位置通知方法であって、
前記サーバは、
送信元ユーザ及び宛先ユーザのアドレスを記憶したアドレステーブルと、
送信元ユーザ及び宛先ユーザを識別可能な第１のＵＲＬ(Uniform Resource Locator)に、測位スクリプトを埋め込み且つユーザデータを入力可能な第１のページを対応付けて記憶したページ記憶部と
を有し、
送信元端末が、第１のＵＲＬに向けて第１のページ要求を送信する第１のステップと、
前記サーバが、第１のページを、送信元端末へ応答する第２のステップと、
送信元端末が、第１のページに埋め込まれた前記測位スクリプトを実行することによって前記測位部から取得された送信元位置情報と、第１のページに入力されたユーザデータとを前記サーバへ送信する第３のステップと、
前記サーバが、第１のＵＲＬで識別された送信元ユーザに基づくアドレスを送信元アドレスとし、第１のＵＲＬで識別された宛先ユーザに基づくアドレスを宛先アドレスとし、前記送信元位置情報及び前記ユーザデータが記述されたメッセージを送信する第４のステップと
を有することを特徴とする位置通知方法。
【請求項２】
第４のステップについて、
前記サーバは、送信元位置情報をプロットした地図を生成し、前記ユーザデータが記述されたメッセージに、当該地図を添付して送信する
ことを特徴とする請求項１に記載の位置通知方法。
【請求項３】
第４のステップについて、
前記サーバが、送信元位置情報をプロットした地図を生成し、第２のＵＲＬに、当該地図及び前記ユーザデータを含む第２のページを対応付け、
前記サーバが、宛先端末へ、第２のＵＲＬが記述されたメッセージを送信し、
宛先端末が、第２のＵＲＬに向けて第２のページ要求を送信し、
前記サーバが、宛先端末へ、第２のページを応答し、
宛先端末が、第２のページをユーザに明示する
ことを特徴とする請求項１に記載の位置通知方法。
【請求項４】
宛先端末も、測位部を有し、
第４のステップについて、
第２のページも、測位スクリプトを埋め込み且つユーザデータを入力可能なものであり、
宛先端末は、第２のページをユーザに明示した際に、第２のページに埋め込まれた前記測位スクリプトを実行することによって、前記測位部によって取得された宛先位置情報と、第２のページに入力されたユーザデータとを前記サーバへ送信し、
前記サーバが、第１のＵＲＬで識別された宛先ユーザに基づくアドレスを送信元アドレスとし、第１のＵＲＬで識別された送信元ユーザに基づくアドレスを宛先アドレスとし、前記宛先位置情報及び前記ユーザデータが記述されたメッセージを送信する
ことを特徴とする請求項３に記載の位置通知方法。
【請求項５】
第４のステップについて、
前記サーバが、宛先位置情報をプロットした地図を生成し、第３のＵＲＬに、当該地図及び前記ユーザデータを含む第３のページを対応付け、
前記サーバが、送信元端末へ、第３のＵＲＬが記述されたメッセージを送信し、
送信元端末が、第３のＵＲＬに向けて第３のページ要求を送信し、
前記サーバが、送信元端末へ、第３のページを応答し、
送信元端末が、第３のページをユーザに明示する
ことを特徴とする請求項４に記載の位置通知方法。
【請求項６】
前記ページ記憶部は、第１のＵＲＬについて、宛先ユーザを「同報」として識別可能としており、
第４のステップについて、
前記サーバは、宛先ユーザ毎に参照テキストを予め登録しており、
前記サーバは、送信元ユーザの送信元端末から受信したユーザデータに含まれる参照テキストに対応する１つ以上の宛先ユーザを選択し、
前記サーバは、選択された１つ以上の宛先ユーザへ、前記送信元位置情報及び前記ユーザデータが記述されたメッセージを送信する
ことを特徴とする請求項１から５のいずれか１項に記載の位置通知方法。
【請求項７】
前記ユーザデータは、第３のステップの際に又は事前に、送信元端末に対するユーザ操作によって記述されたテキストである
ことを特徴とする請求項１から６のいずれか１項に記載の位置通知方法。
【請求項８】
前記ユーザデータは、第３のステップの際に又は事前に、送信元端末に対するユーザ操作によって発話された音声データであり、
前記サーバは、前記音声データから音声認識処理によってテキストに変換する
ことを特徴とする請求項１から６のいずれか１項に記載の位置通知方法。
【請求項９】
前記サーバは、第１の言語に基づくテキストを、第２の言語に翻訳する
ことを特徴とする請求項７又は８に記載の位置通知方法。
【請求項１０】
前記ユーザデータは、ユーザ固有情報が記述されたユーザファイルである
ことを特徴とする請求項１から６のいずれか１項に記載の位置通知方法。
【請求項１１】
前記アドレスは、メールアドレス、電話番号又はアカウントであり、
前記メッセージは、
前記メールアドレスに基づく電子メール、
前記電話番号に基づくＳＭＳ(Short Message Service)のプッシュメッセージ、又は、
前記アカウントに基づくＳＮＳ(Social Networking Service)のメッセージ
である
ことを特徴とする請求項１から１０のいずれか１項に記載の位置通知方法。
【請求項１２】
測位部を有する送信元端末と、宛先端末と通信する位置通知サーバにおいて、
送信元ユーザ及び宛先ユーザのアドレスを記憶したアドレステーブルと、
送信元ユーザ及び宛先ユーザを識別可能な第１のＵＲＬに、測位スクリプトを埋め込み且つユーザデータを入力可能な第１のページを対応付けて記憶したページ記憶部と、
送信元端末から、第１のＵＲＬに向けて第１のページ要求を送信するページ要求手段と、
第１のページを、送信元端末へ応答するページ応答手段と、
送信元端末から、第１のページに埋め込まれた前記測位スクリプトを実行することによって前記測位部から取得された送信元位置情報と、第１のページに入力されたユーザデータとを受信する位置情報受信手段と、
第１のＵＲＬで識別された送信元ユーザに基づくアドレスを送信元アドレスとし、第１のＵＲＬで識別された宛先ユーザに基づくアドレスを宛先アドレスとし、前記送信元位置情報及び前記ユーザデータが記述されたメッセージを送信するメッセージ送信手段と
を有することを特徴とする位置通知サーバ。
【請求項１３】
測位部を有する送信元端末と、宛先端末と通信するサーバに搭載されたコンピュータを機能させるプログラムにおいて、
送信元ユーザ及び宛先ユーザのアドレスを記憶したアドレステーブルと、
送信元ユーザ及び宛先ユーザを識別可能な第１のＵＲＬに、測位スクリプトを埋め込み且つユーザデータを入力可能な第１のページを対応付けて記憶したページ記憶部と、
送信元端末から、第１のＵＲＬに向けて第１のページ要求を送信するページ要求手段と、
第１のページを、送信元端末へ応答するページ応答手段と、
送信元端末から、第１のページに埋め込まれた前記測位スクリプトを実行することによって前記測位部から取得された送信元位置情報と、第１のページに入力されたユーザデータとを受信する位置情報受信手段と、
第１のＵＲＬで識別された送信元ユーザに基づくアドレスを送信元アドレスとし、第１のＵＲＬで識別された宛先ユーザに基づくアドレスを宛先アドレスとし、前記送信元位置情報及び前記ユーザデータが記述されたメッセージを送信するメッセージ送信手段と
してコンピュータを機能させることを特徴とするサーバ用の位置通知プログラム。
【発明の詳細な説明】
【技術分野】
【０００１】
本発明は、送信元端末を所持した送信元ユーザの位置情報を、宛先端末を所持した宛先ユーザへ通知する技術に関する。
【背景技術】
【０００２】
スマートフォンに代表される携帯端末は、一般に、ＧＰＳ(Global Positioning System)を搭載しており、現在の位置情報をリアルタイムに測位することができる。また、相手方の携帯端末の位置情報を取得することができる位置追跡アプリも多く存在する（例えば非特許文献１参照）。
【０００３】
従来、自らの携帯端末の位置情報を相手方端末へ通知するために、電子メールを用いた技術がある（例えば特許文献１参照）。この技術によれば、送信元端末が、ユーザの選択に応じて、自らのＧＰＳによって測位した位置情報を電子メールに添付して送信する。電子メールを中継する情報管理装置は、その電子メールに含まれる位置情報と送信元端末とを対応付けて記憶する。そして、宛先端末へ送信する電子メールに、送信元位置情報を表す地図を添付して送信する。宛先端末のユーザは、電子メールに添付された地図を見ることによって、送信元位置情報を知ることができる。
【０００４】
尚、Ｗｅｂサイトを介して地図を提供する際に、地図のＵＲＬ(Uniform Resource Locator)を、地図上に表示したいポップアップ情報のパラメータを含めるように変換する技術もある（例えば特許文献２参照）。この技術によれば、変換されたＵＲＬを相手方端末へ送信し、相手方端末は、そのＵＲＬにアクセスするだけで、ポップアップ情報が重畳された地図を閲覧することができる。
【先行技術文献】
【特許文献】
【０００５】
【特許文献１】特開２００９−１６３６７０号公報
【特許文献２】特開２００７−２１３１２８号公報
【非特許文献】
【０００６】
【非特許文献１】StressFreeNAVI、[online]、［平成２９年３月２０日検索］、インターネット＜URL:http://any-stress.com/archives/14503＞
【発明の概要】
【発明が解決しようとする課題】
【０００７】
非特許文献１に記載の技術によれば、自らの携帯端末と相手方の携帯端末との両方が、同じ位置追跡アプリをインストールしておく必要がある。また、アプリによっては、自らの携帯端末に、相手方の携帯端末を所持するユーザのＩＤ及びパスワードを入力する必要もある。このように、悪意の第三者が、相手方の携帯端末の位置情報を追跡することを防止するために、セキュリティを高める必要がある。
【０００８】
特許文献１に記載の技術によれば、端末の位置情報と共にユーザテキストも送信することができるが、電子メールに位置情報を含めるために、送信元端末及び宛先端末の両方に、専用のメールソフトウェアを予めインストールしておく必要がある。また、電子メールを中継するＳＭＴＰ(Simple Mail Transfer Protocol)サーバ又はＰＯＰ(Post Office Protocol)サーバは、電子メールから位置情報を取得し、その位置情報を表示した地図を生成する必要がある。更に、特許文献１によれば、送信元ユーザは、宛先ユーザのメールアドレスを指定する必要がある。
【０００９】
そこで、本発明は、送信元端末が、位置通知用のアプリケーションを起動することなく、送信元ユーザの簡易な操作で、自らの位置情報及びユーザデータを宛先ユーザへ通知することができる位置通知方法、サーバ及びプログラムを提供することを目的とする。
【課題を解決するための手段】
【００１０】
本発明によれば、測位部を有する送信元端末と、宛先端末と、サーバとを有するシステムの位置通知方法であって、
サーバは、
送信元ユーザ及び宛先ユーザのアドレスを記憶したアドレステーブルと、
送信元ユーザ及び宛先ユーザを識別可能な第１のＵＲＬ(Uniform Resource Locator)に、測位スクリプトを埋め込み且つユーザデータを入力可能な第１のページを対応付けて記憶したページ記憶部と
を有し、
送信元端末が、第１のＵＲＬに向けて第１のページ要求を送信する第１のステップと、
サーバが、第１のページを、送信元端末へ応答する第２のステップと、
送信元端末が、第１のページに埋め込まれた測位スクリプトを実行することによって測位部から取得された送信元位置情報と、第１のページに入力されたユーザデータとをサーバへ送信する第３のステップと、
サーバが、第１のＵＲＬで識別された送信元ユーザに基づくアドレスを送信元アドレスとし、第１のＵＲＬで識別された宛先ユーザに基づくアドレスを宛先アドレスとし、送信元位置情報及びユーザデータが記述されたメッセージを送信する第４のステップと
を有することを特徴とする。
【００１１】
本発明の位置通知方法における他の実施形態によれば、
第４のステップについて、
サーバは、送信元位置情報をプロットした地図を生成し、ユーザデータが記述されたメッセージに、当該地図を添付して送信することも好ましい。
【００１２】
本発明の位置通知方法における他の実施形態によれば、
第４のステップについて、
サーバが、送信元位置情報をプロットした地図を生成し、第２のＵＲＬに、当該地図及びユーザデータを含む第２のページを対応付け、
サーバが、宛先端末へ、第２のＵＲＬが記述されたメッセージを送信し、
宛先端末が、第２のＵＲＬに向けて第２のページ要求を送信し、
サーバが、宛先端末へ、第２のページを応答し、
宛先端末が、第２のページをユーザに明示することも好ましい。
【００１３】
本発明の位置通知方法における他の実施形態によれば、
宛先端末も、測位部を有し、
第４のステップについて、
第２のページも、測位スクリプトを埋め込み且つユーザデータを入力可能なものであり、
宛先端末は、第２のページをユーザに明示した際に、第２のページに埋め込まれた測位スクリプトを実行することによって、測位部によって取得された宛先位置情報と、第２のページに入力されたユーザデータとをサーバへ送信し、
サーバが、第１のＵＲＬで識別された宛先ユーザに基づくアドレスを送信元アドレスとし、第１のＵＲＬで識別された送信元ユーザに基づくアドレスを宛先アドレスとし、宛先位置情報及びユーザデータが記述されたメッセージを送信することも好ましい。
【００１４】
本発明の位置通知方法における他の実施形態によれば、
第４のステップについて、
サーバが、宛先位置情報をプロットした地図を生成し、第３のＵＲＬに、当該地図及びユーザデータを含む第３のページを対応付け、
サーバが、送信元端末へ、第３のＵＲＬが記述されたメッセージを送信し、
送信元端末が、第３のＵＲＬに向けて第３のページ要求を送信し、
サーバが、送信元端末へ、第３のページを応答し、
送信元端末が、第３のページをユーザに明示することも好ましい。
【００１５】
本発明の位置通知方法における他の実施形態によれば、
ページ記憶部は、第１のＵＲＬについて、宛先ユーザを「同報」として識別可能としており、
第４のステップについて、
サーバは、宛先ユーザ毎に参照テキストを予め登録しており、
サーバは、送信元ユーザの送信元端末から受信したユーザデータに含まれる参照テキストに対応する１つ以上の宛先ユーザを選択し、
サーバは、選択された１つ以上の宛先ユーザへ、送信元位置情報及びユーザデータが記述されたメッセージを送信することも好ましい。
【００１６】
本発明の位置通知方法における他の実施形態によれば、
ユーザデータは、第３のステップの際に又は事前に、送信元端末に対するユーザ操作によって記述されたテキストであることも好ましい。
【００１７】
本発明の位置通知方法における他の実施形態によれば、
ユーザデータは、第３のステップの際に又は事前に、送信元端末に対するユーザ操作によって発話された音声データであり、
サーバは、音声データから音声認識処理によってテキストに変換することも好ましい。
【００１８】
本発明の位置通知方法における他の実施形態によれば、
サーバは、第１の言語に基づくテキストを、第２の言語に翻訳することも好ましい。
【００１９】
本発明の位置通知方法における他の実施形態によれば、
ユーザデータは、ユーザ固有情報が記述されたユーザファイルであることも好ましい。
【００２０】
本発明の位置通知方法における他の実施形態によれば、
アドレスは、メールアドレス、電話番号又はアカウントであり、
所定メッセージは、
メールアドレスに基づく電子メール、
電話番号に基づくＳＭＳ(Short Message Service)のプッシュメッセージ、又は、
アカウントに基づくＳＮＳ(Social Networking Service)のメッセージ
であることも好ましい。
【００２１】
本発明によれば、測位部を有する送信元端末と、宛先端末と通信する位置通知サーバにおいて、
送信元ユーザ及び宛先ユーザのアドレスを記憶したアドレステーブルと、
送信元ユーザ及び宛先ユーザを識別可能な第１のＵＲＬに、測位スクリプトを埋め込み且つユーザデータを入力可能な第１のページを対応付けて記憶したページ記憶部と、
送信元端末から、第１のＵＲＬに向けて第１のページ要求を送信するページ要求手段と、
第１のページを、送信元端末へ応答するページ応答手段と、
送信元端末から、第１のページに埋め込まれた測位スクリプトを実行することによって測位部から取得された送信元位置情報と、第１のページに入力されたユーザデータとを受信する位置情報受信手段と、
第１のＵＲＬで識別された送信元ユーザに基づくアドレスを送信元アドレスとし、第１のＵＲＬで識別された宛先ユーザに基づくアドレスを宛先アドレスとし、送信元位置情報及びユーザデータが記述されたメッセージを送信するメッセージ送信手段と
を有することを特徴とする。
【００２２】
本発明によれば、測位部を有する送信元端末と、宛先端末と通信するサーバに搭載されたコンピュータを機能させるプログラムにおいて、
送信元ユーザ及び宛先ユーザのアドレスを記憶したアドレステーブルと、
送信元ユーザ及び宛先ユーザを識別可能な第１のＵＲＬに、測位スクリプトを埋め込み且つユーザデータを入力可能な第１のページを対応付けて記憶したページ記憶部と、
送信元端末から、第１のＵＲＬに向けて第１のページ要求を送信するページ要求手段と、
第１のページを、送信元端末へ応答するページ応答手段と、
送信元端末から、第１のページに埋め込まれた測位スクリプトを実行することによって測位部から取得された送信元位置情報と、第１のページに入力されたユーザデータとを受信する位置情報受信手段と、
第１のＵＲＬで識別された送信元ユーザに基づくアドレスを送信元アドレスとし、第１のＵＲＬで識別された宛先ユーザに基づくアドレスを宛先アドレスとし、送信元位置情報及びユーザデータが記述されたメッセージを送信するメッセージ送信手段と
してコンピュータを機能させることを特徴とする。
【発明の効果】
【００２３】
本発明の位置通知方法、サーバ及びプログラムによれば、送信元端末が、位置通知用のアプリケーションを起動することなく、送信元ユーザの簡易な操作で、自らの位置情報及びユーザデータを宛先ユーザへ通知することができる。
【図面の簡単な説明】
【００２４】
【図１】本発明におけるシステム構成図である。
【図２】送信元位置情報を特定の宛先端末へ通知する第１のシーケンス図である。
【図３】送信元端末のタップ操作画面を表す説明図である。
【図４】送信元端末のユーザデータの入力欄を表す説明図である。
【図５】送信元位置情報を複数の宛先端末へ同報通知する第２のシーケンス図である。
【図６】送信元位置情報がプロットされた地図を、宛先端末へ通知するシーケンス図である。
【図７】宛先位置情報がプロットされた地図を、送信元端末へ返信するシーケンス図である。
【図８】本発明における位置通知サーバの機能構成図である。
【発明を実施するための形態】
【００２５】
以下、本発明の実施の形態について、図面を用いて詳細に説明する。
【００２６】
図１は、本発明におけるシステム構成図である。
【００２７】
図１によれば、位置通知サーバ１は、ネットワークを介して複数の端末２と通信することができる。以下では、本発明における４つの実施形態について説明する。
＜送信元位置情報を特定の宛先端末へ通知する第１の実施形態＞
＜送信元位置情報を複数の宛先端末へ同報通知する第２の実施形態＞
＜送信元位置情報がプロットされた地図を、宛先端末へ通知する第３の実施形態＞
＜宛先位置情報がプロットされた地図を、送信元端末へ返信する第４の実施形態＞
【００２８】
＜送信元位置情報を特定の宛先端末へ通知する第１の実施形態＞
例えば「端末２Ａを所持するユーザＡが、薬局から薬Ｘをもらいたい」場合を想定する。ユーザＡとしては、「かかりつけ薬局Ｂ」がある場合、端末Ａから端末Ｂへメッセージを通知したいとする。このとき、ユーザＡとしては、薬局Ｂに対して、自らの位置情報と共に、「薬Ｘが欲しい」旨を連絡したい。薬局Ｂとしては、ユーザＡの位置が把握できれば、薬Ｘの配達も検討することができる。
【００２９】
図２は、送信元位置情報を特定の宛先端末へ通知する第１のシーケンス図である。
【００３０】
図２によれば、位置通知サーバ１と、送信元端末２Ａ及び宛先端末２Ｂとが、ネットワークを介して接続されている。また、送信元端末２Ａを所持する送信元ユーザＡが、宛先端末２Ｂを所持する宛先ユーザＢへ、位置情報及びユーザデータを送信しようとしている。
【００３１】
本発明における位置通知サーバ１は、メッセージの送信元となる送信元端末２Ａに対しては、「Ｗｅｂサイト」として機能する。即ち、位置通知サーバ１は、送信元ユーザＡに対しては、ＷｅｂサイトのＵＲＬを公開することによって、ページ要求を受信する。
【００３２】
他方で、位置通知サーバ１は、メッセージの宛先となる宛先端末２Ｂに対しては、メッセージの「送信元端末」として機能する。
（１）例えばメッセージが、メールアドレスに基づく電子メールである場合、位置通知サーバ１は、メールクライアント機能を有し、外部のＳＭＴＰサーバに対してメールを送信する。
（２）例えばメッセージが、電話番号に基づくＳＭＳのプッシュメッセージである場合、位置通知サーバ１は、電話発呼機能を有し、携帯電話網の呼接続シーケンスを実行し、ショートメッセージを発信する。
（３）例えばメッセージが、アカウントに基づくＳＮＳのメッセージである場合、位置通知サーバ１は、ＳＮＳサイトに対するログイン機能を有し、当該サイトを介してメッセージを通知する。
【００３３】
本発明の位置通知サーバ１は、「アドレステーブル１０１」と、「ページ記憶部１０２」とを有する。
【００３４】
［アドレステーブル１０１］
アドレステーブル１０１は、ユーザの「識別子」と「アドレス」と対応付けて記憶したものである。「識別子」は、ＵＲＬに含まれるユーザを識別可能なものである。「アドレス」は、宛先端末２Ｂへ送信するメッセージ種別に対応したものであって、具体的にはメールアドレス、電話番号又はアカウントである。メールアドレスの場合、例えば以下のようなアドレステーブル１０１を有する。
（識別子）（アドレス）
A      A@aaa.com
B      B@bbb.com
C      C@ccc.com
D      D@ddd.com
E      E@eee.com
F      F@fff.com
【００３５】
［ページ記憶部１０２］
ページ記憶部１０２は、送信元ユーザ及び宛先ユーザを識別可能な第１のＵＲＬのページを記憶したものである。このページは、送信元ユーザに閲覧させるものに限られず、例えばスクリプト(Script)によって記述された制御ページのようなものである。
図２によれば、例えば以下のようなＵＲＬが設定されている。
http://www.SM.co.jp/A/B
このＵＲＬには、ドメイン名に続いて、送信元ユーザを表す識別子"A"と、宛先ユーザを表す識別子"B"とが付与されており、送信元ユーザ及び宛先ユーザを識別可能となっている。
このページのスクリプトは、測位スクリプトを埋め込み且つユーザデータを入力可能となるようにプログラミングされたものである。
【００３６】
尚、送信元端末２Ａは、例えばスマートフォンであって、一般的に、タッチパネルディスプレイと、ＧＰＳのような測位部とを有する。タッチパネルディスプレイは、テキスト表示されたＵＲＬをユーザの指のタッチで発動させることができる。測位部は、位置情報として緯度経度をリアルタイムに出力することができる。勿論、ＧＰＳに限られず、基地局測位やアクセスポイント測位のようなものであってもよい。
【００３７】
［Ｓ１：第１のステップ］
（Ｓ１）送信元端末２Ａには、ＵＲＬが表示されており、送信元ユーザＡがそのＵＲＬをタップすることができる。
【００３８】
図３は、送信元端末のタップ操作画面を表す説明図である。
【００３９】
図３（ａ）は、送信元端末２Ａについて、テキスト（例えば受信したメッセージ又はメール）に記述されたＵＲＬに対するユーザの発動操作を表す。これによって、ＵＲＬに向けてページ要求(GET Request)が送信される。メール内容としては、通知項目に応じて、異なるＵＲＬが表示されている。
（通知項目）  （ＵＲＬ）
「薬局Ｂ」      http://www.SM.co.jp/A/B
「近隣薬局」    http://www.SM.co.jp/A/Bload
「緊急」        http://www.SM.co.jp/A/C
これらＵＲＬは、位置通知サーバ１のページを特定すると共に、送信元ユーザＡを送信元として、通知条件となる宛先を識別可能なものである。
【００４０】
図３（ｂ）は、ＨＴＭＬ(HyperText Markup Language)コードがブラウザ上に表示された操作ボタンに対する、ユーザの発動操作を表す。これは単に、送信元ユーザＡに対して、タップ操作の対象となるＵＲＬをボタン表示にしたものである。
【００４１】
このように、本発明によれば、送信元ユーザＡは、送信元端末２Ａに表示されたＵＲＬをタップするだけで、位置情報及びユーザデータを位置通知サーバ１から宛先アドレスへ送信することができる。送信元端末２Ａは、位置通知用のアプリケーションを起動することなく、且つ、位置通知用のＷｅｂサイトにアクセスすることもない。
【００４２】
尚、本発明によれば、送信元端末２Ａの位置情報を第三者へ送信する際に、ワンタップのユーザ操作を要する。即ち、追跡アプリのように、送信元端末２Ａの位置情報が、送信元ユーザの知らない間にバックグラウンドで送信されることはない。
【００４３】
［Ｓ２：第２のステップ］
（Ｓ２）位置通知サーバ１は、ＵＲＬのページ要求を受信しただけで、送信元ユーザＡ及び宛先ユーザＢを識別する。そして、送信元ユーザＡ及び宛先ユーザＢのアドレスが、アドレステーブル１０１に記憶されているか否かを判定する。真と判定された場合、位置情報の送信が指示される。
そして、位置通知サーバ１は、第１のＵＲＬに基づく第１のページを、送信元端末２Ａへ応答する。第１のページは、測位スクリプトが埋め込まれたものである。
【００４４】
［第３のステップ：Ｓ３］
（Ｓ３）送信元端末２Ａは、第１のページがブラウザに表示されると同時に、ページに埋め込まれた、GeolocationＡＰＩのよう測位スクリプトを実行する。そして、測位部から現在の位置情報が取得される。
【００４５】
図４は、本発明における送信元端末のユーザデータの入力欄を表す説明図である。
【００４６】
図４によれば、ブラウザに表示された第１のページには、ユーザデータを記述可能な入力欄が表示されている。送信元ユーザＡは、位置情報を通知する宛先ユーザＢへ、連絡したいユーザデータを記述することができる。
【００４７】
ユーザデータとしては、様々な実施形態を想定することができる。
（ユーザが記述したテキスト）
ユーザデータは、ユーザが送信元端末２Ａに対して記述したテキストであってもよい。このテキストは、図２のＳ３の時点で送信元端末２Ａに表示された第１のページの入力欄に、ユーザ操作によって記述する。また、このテキストは、図２の位置通知方法を実行する事前に、ユーザ自ら記述して作成したものであってもよい。
【００４８】
（ユーザが発話した音声データから変換されたテキスト）
ユーザデータは、ユーザが送信元端末２Ａに対して発話した音声データであってもよい。この音声データは、図２のＳ３の時点で送信元端末２Ａに表示された第１のページの音声入力ボタンをユーザがタップした後、発話して入力されたものであってもよい。また、図１の位置通知方法を実行する事前に、ユーザ自ら発話した音声を録音したものであってもよい。そして、位置通知サーバ１が、音声データに対する音声認識処理によってテキストに変換する。
【００４９】
（テキストの翻訳処理）
ユーザが記述したテキストに対して、位置通知サーバ１が、翻訳処理をするものであってもよい。例えば送信元ユーザが英語（第１の言語）によって記述したテキストを、位置通知サーバ１が、日本語（第２の言語）に翻訳処理するものであってもよい。
又は、ユーザが発話した音声データに対して、位置通知サーバ１が、音声認識処理によって変換されたテキストを更に翻訳処理をするものであってもよい。例えば送信元ユーザが英語（第１の言語）によって発話した音声データを、位置通知サーバ１が、音声認識によって英文テキストに変換し、その英文テキストを日本語（第２の言語）に翻訳処理するものであってもよい。
【００５０】
（ユーザ固有のデータファイル）
ユーザデータは、送信元端末２Ａに蓄積された、ユーザ固有のデータファイルであってもよい。このユーザデータは、図２のＳ３の時点で送信元端末２Ａに表示された第１のページのファイル添付ボタンをユーザがタップした後、データファイルを選択するものであってもよい。また、送信すべきデータファイルを予め選択して設定されたものであってもよい。ユーザ固有のデータファイルとしては、例えばユーザの医療情報のようなものであってもよい。
【００５１】
そして、送信元端末２Ａは、位置情報及びユーザデータを、位置通知サーバ１へ送信する。尚、送信先となる位置通知サーバ１のアドレスも、スクリプトによって制御される。
【００５２】
［第４のステップ：Ｓ４］
位置通知サーバ１は、送信元位置情報及びユーザデータが記述されたメッセージを送信する。このメッセージは、以下のように設定される。
送信元アドレス：ＵＲＬで識別された送信元ユーザに基づくアドレス(A@aaa.com)
宛先アドレス  ：ＵＲＬで識別された宛先ユーザに基づくアドレス(B@bbb.com)
【００５３】
尚、第１の実施形態によれば、メッセージに記述された位置情報は、緯度経度で記述されているために、その緯度経度に対するアプリケーション処理は、宛先端末２Ｂで任意に実行される。
【００５４】
他の実施形態として、位置通知サーバ１は、宛先ユーザＢに対する位置情報及びユーザデータの送信が完了した後、送信元ユーザＡの送信元端末２Ａへ、「メッセージ送信完了」を報告するものであってもよい。具体的は、例えばHTTP Server Pushを用いて、「メッセージ送信完了」を送信元端末２Ａのブラウザに明示するものであってもよい。
【００５５】
＜送信元位置情報を複数の宛先端末へ同報通知する第２の実施形態＞
例えば「端末２Ａを所持するユーザＡが、薬Ｘを保有している薬局から、直ぐに薬Ｘをもらいたい」場合を想定する。薬局によっては、薬Ｘを在庫として保有している場合や、そうでない場合もあるためである。
【００５６】
図５は、送信元位置情報を複数の宛先端末へ同報通知する第２のシーケンス図である。
【００５７】
アドレステーブル１０１は、ユーザの識別子毎に「参照テキスト」を対応付けて登録している。具体的には、例えば薬局の場合、在庫として保管している薬の名称であってもよい。図５によれば、例えば識別子"B"の薬局Ｂは、アドレスB.bbb.comであり、薬Ｘ、Ｙ、Ｚを保管しているとする。
（識別子）（アドレス）（参照テキスト）
A      A@aaa.com
B      B@bbb.com      X,Y,Z
C      C@ccc.com      Z
D      D@ddd.com      X,Y
E      E@eee.com      X
F      F@fff.com      Y,Z
【００５８】
ページ記憶部１０２は、送信元ユーザＡと共に、宛先ユーザ「同報」として識別可能なＵＲＬのページを記憶している。図５によれば、例えば以下のようなＵＲＬが設定されている。
http://www.SM.co.jp/A/Bload
このＵＲＬには、ドメイン名に続いて、送信元ユーザを表す識別子"A"と、宛先ユーザ「同報」を表す識別子"Bload"とが付与されている。
【００５９】
ここでは、図２と比較して相違する図５のＳ４についてのみ説明する。
（Ｓ４）位置通知サーバ１は、送信元ユーザＡの送信元端末２Ａから受信したユーザデータに、アドレステーブル１０１に登録された「参照テキスト」が含まれているか否かを検索する。ユーザデータが含む参照テキストに対応する１つ以上の宛先ユーザが選択される。
【００６０】
具体的には、テキストのユーザデータを、形態素解析によって区分する。「形態素解析」とは、文章を、意味のある単語に区切り、辞書を利用して品詞や内容を判別する技術をいう。「形態素」とは、文章の要素のうち、意味を持つ最小の単位を意味する。例えば形態素の名詞と、アドレステーブル１０１の参照テキストとが一致する宛先ユーザを選択する。
【００６１】
図５によれば、ユーザデータのテキスト「薬Ｘが欲しい」に対して、薬「X」の参照テキストを有する宛先ユーザＢ，Ｄ，Ｅが選択される。
そして、位置通知サーバ１は、宛先ユーザＢ，Ｄ，Ｅへのみ、送信元位置情報及びユーザデータが記述されたメッセージを送信する。
【００６２】
＜送信元位置情報がプロットされた地図を、宛先端末へ通知する第３の実施形態＞
Ｓ４について、宛先ユーザＢが送信元端末２Ａの位置を一見して認識することができるように、宛先端末２Ｂに地図を表示することが好ましい。
ここでは、以下の２つの他の実施形態を想定することができる。
［位置通知サーバから地図を送信する第３１の実施形態］
［宛先端末から位置通知サーバの地図を取得する第３２の実施形態］
【００６３】
［位置通知サーバから地図を送信する第３１の実施形態］
位置通知サーバ１は、送信元端末２Ａの位置情報をプロットした地図を生成する。そして、ユーザデータが記述されたメッセージに、当該地図を添付して送信する。このとき、ユーザデータがテキストである場合、地図上のプロット部分にそのテキストを重畳して表示するものであってもよい。
【００６４】
［宛先端末から位置通知サーバの地図を取得する第３２の実施形態］
図６は、送信元位置情報がプロットされた地図を、宛先端末へ通知するシーケンス図である。
【００６５】
（Ｓ４１）位置通知サーバ１は、送信元端末２Ａの当該位置情報をプロットした地図を生成し、第２のＵＲＬに、当該地図を描画した第２のページを対応付ける。第２のページも、Ｗｅｂブラウザによって表示可能なマークアップ言語（例えばＨＴＭＬ）で記述されたものである。
ここで、位置通知サーバ１は、地図上に送信元端末２Ａの位置をプロットした部分に、ユーザデータ（テキスト）を表示するものであってもよい。図２によれば、地図上に「★Ａ」として、送信元端末２Ａの位置をプロットした部分に、例えば「薬Ｘが欲しい」と明示されている。
地図としては、例えばGoogle Map（登録商標）のようなＷｅｂＧＩＳ(Geographic Information System)を用いることが好ましい。これによれば、地図上に様々な情報を重畳することができる。
【００６６】
（Ｓ４２）位置通知サーバ１が、第２のＵＲＬが記述されたメッセージを、宛先端末２Ｂへ送信する。
第２のＵＲＬ：http://www.SM.co.jp/A/B/map
【００６７】
（Ｓ４３）宛先ユーザＢは、宛先端末２Ｂのディスプレイに表示された第２のＵＲＬをタップすることができる。タップ操作がされた際、宛先端末２Ｂは、第２のＵＲＬに向けてページ要求を送信する。
【００６８】
（Ｓ４４）これに対し、位置通知サーバ１は、地図が描画された第２のページを、宛先端末２Ｂへ応答する。
【００６９】
（Ｓ４５）宛先端末２Ｂは、第２のページに描画された地図を、ブラウザを用いてディスプレイに表示する。これによって、宛先端末２Ｂを操作する宛先ユーザＢは、地図を視認し、送信元ユーザＡの現在位置を知ることができる。
【００７０】
尚、他の実施形態として、位置通知サーバ１は、宛先端末２Ｂの位置情報を予め登録しておくものであってもよい。これによって、位置通知サーバ１は、地図上に、宛先端末２Ｂの当該位置情報も、プロットすることができる。
宛先端末２Ｂの宛先ユーザＢは、送信元ユーザＡの送信元端末２Ａの位置情報のプロットと共に、自らの位置情報のプロットも視認することができる。
【００７１】
＜宛先位置情報がプロットされた地図を、送信元端末へ返信する第４の実施形態＞
図７は、宛先位置情報がプロットされた地図を、送信元端末へ返信するシーケンス図である。
【００７２】
宛先端末２Ｂの位置をプロットした地図を、送信元端末２Ａの送信元ユーザＡに視認させることもできる。送信元ユーザＡにとっては、宛先ユーザＢの位置を目的地（訪問先）として認識することができる。
宛先端末２Ｂも、送信元端末２Ａと同様に、ＧＰＳのような測位部を有する。
【００７３】
（Ｓ４４）位置通知サーバ１は、第２のＵＲＬに基づく第２のページに、測位スクリプトを埋め込む。そして、位置通知サーバ１は、第２のページを、ページ応答として宛先端末２Ｂへ応答する。また、第２のページも、宛先ユーザＢから、ユーザデータを入力可能なものであってもよい。
【００７４】
（Ｓ４５）宛先端末２Ｂは、第２のページをユーザに明示した際に、第２のページに埋め込まれた測位スクリプトを実行する。そして、測位部から現在の位置情報が取得される。また、宛先ユーザＢからユーザデータが入力されてもよい。
このとき、宛先端末２Ｂは、測位スクリプトに従って、現在の位置情報を、自ら表示している地図に更にプロットすることもできる。ユーザＢにとっては、地図上で、ユーザＢとユーザＡとの間の大凡の距離感を認識することができる。
そして、宛先端末２Ｂは、測位スクリプトのプログラムに従って、自らの位置情報を位置通知サーバ１へ返信する。また、宛先ユーザＢが入力したユーザデータも、位置通知サーバ１へ送信される。
【００７５】
（Ｓ４６）位置通知サーバ１は、第２のＵＲＬの第２のページに描画された地図に、宛先端末２Ｂの当該位置情報をプロットした地図を更に生成する。そして、位置通知サーバ１は、第３のＵＲＬに、当該地図及びユーザデータを含む第３のページを対応付ける。
【００７６】
（Ｓ４７）位置通知サーバ１は、第３のＵＲＬが記述されたメッセージを、送信元端末２Ａへ送信する。位置通知サーバ１は、メッセージを以下のように作成する。
送信元アドレス：第１のＵＲＬで識別された宛先ユーザに基づくアドレス
宛先アドレス：第１のＵＲＬで識別された送信元ユーザに基づくアドレス
メッセージ内容：第３のＵＲＬ（及び宛先ユーザのユーザデータ）
【００７７】
（Ｓ４８）ユーザＡは、所持する送信元端末２Ａのディスプレイに表示された第３のＵＲＬをタップする。
http://www.SM.co.jp/A/B/map
これによって、送信元端末２Ａは、第３のＵＲＬに向けてページ要求を送信する。
【００７８】
（Ｓ４９）位置通知サーバ１は、ページ要求を受信した際に、送信元端末２Ａへ第３のページを応答する。
そして、送信元端末２Ａは、第３のページに描画された地図を、ディスプレイに表示する。このとき、地図上に、宛先端末２Ｂの位置がプロットされていると共に、宛先ユーザのユーザテキストが重畳されていてもよい。
これによって、送信元端末２Ａの送信元ユーザＡは、宛先端末２Ｂの宛先ユーザＢの位置を、地図上で視認することができる。
【００７９】
図８は、本発明における位置通知サーバの機能構成図である。
【００８０】
図８によれば、位置通知サーバ１は、アドレステーブル１０１と、ページ記憶部１０２と、ページ要求受信部１１と、ページ応答部１２と、位置情報受信部１３と、メッセージ送信部１４とを有する。これら機能構成部は、サーバに搭載されたコンピュータを機能させるプログラムを実行することによって実現される。また、これら機能構成部の処理の流れは、位置通知方法としても理解できる。
【００８１】
［ページ要求受信部１１］
ページ要求受信部１１は、送信元端末２Ａから、第１のＵＲＬに向けた第１のページ要求を受信する。これは、位置通知サーバ１における前述したＳ１の処理を実行する。
【００８２】
［ページ応答部１２］
ページ応答部１２は、第１のページを送信元端末２Ａへ応答する。これは、位置通知サーバ１における前述したＳ２の処理を実行する。
【００８３】
［位置情報受信部１３］
位置情報受信部１３は、送信元端末２Ａが、第１のページに埋め込まれた測位スクリプトを実行することによって測位部から位置情報を取得すると共に、第１のページにユーザデータを入力させ、送信元端末２Ａから、当該位置情報及び当該ユーザデータを受信する。これは、位置通知サーバ１における前述したＳ３における処理を実行する。
【００８４】
［メッセージ送信部１４］
メッセージ送信部１４は、第１のＵＲＬで識別された送信元ユーザに基づくアドレスを送信元アドレスとし、第１のＵＲＬで識別された宛先ユーザに基づくアドレスを宛先アドレスとし、送信元位置情報及びユーザデータが記述されたメッセージを送信する。これは、位置通知サーバ１における前述したＳ４における処理を実行する。
【００８５】
以上、詳細に説明したように、本発明の位置通知方法、サーバ及びプログラムによれば、送信元端末が、位置通知用のアプリケーションを起動することなく、送信元ユーザの簡易な操作で、自らの位置情報及びユーザデータを宛先ユーザへ通知することができる。
また、本発明によれば、ユーザデータに対応可能な参照テキストを登録する宛先ユーザのみへ、同報的にメッセージを送信することができる。即ち、ユーザデータによって対応できない宛先ユーザには、メッセージが送信されない。
【００８６】
前述の具体的な用途例として、ユーザが薬局に問い合わせる場合について説明したが、その他、様々な用途例がある。
（用途例１）送信元ユーザが乗客であって、宛先ユーザがタクシーである場合、送信元ユーザは、宛先ユーザへ、現在の位置情報を通知すると共に、自らの行き先もユーザテキストとして通知することができる。タクシーとしては、ユーザの位置情報及び行き先を知った上で、そのユーザを迎えに行くかどうかを判断することができる。また、タクシーも、ユーザへテキストを返信することができれば、およその待ち時間や、車番、待ち道路方向を通知することもできる。
【００８７】
（用途例２）送信元ユーザが救急車であって、宛先ユーザが受け入れ病院である場合、送信元ユーザは、宛先ユーザへ、現在の位置情報を通知すると共に、患者の状態もユーザテキスト（テキスト、音声、映像等）として通知することができる。受け入れ病院としては、救急車の位置情報及び患者状態を知った上で、その患者の受け入れを判断することができる。また、病院側も、救急車へテキストを返信することができれば、電話番号や処置対応を通知することもできる。
【００８８】
（用途例３）送信元ユーザが日本への旅行客である外国人であって、宛先ユーザが受け入れ病院である場合、送信元ユーザは、宛先ユーザへ、現在の位置情報を通知すると共に、母国語で発話した音声データを通知することができる。位置通知サーバは、その音声データを音声認識処理によって母国語テキストに変換した後、更に音声認識処理によって日本語テキストに翻訳する。その日本語テキストが、外国人の現在の位置情報と共に、受け入れ病院へ通知される。受け入れ病院は、外国人の位置情報と日本語テキストとを認識した上で、その外国人の受け入れを判断することができる。
他方、宛先ユーザが旅行ツアーガイドであってもよい。その場合、外国人が、集合時間になっても集合場所に来ない場合にも利用できる。
【００８９】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００９０】
１  位置通知サーバ
１０１  アドレステーブル
１０２  ページ記憶部
１１  ページ要求受信部
１２  ページ応答部
１３  位置情報受信部
１４  メッセージ送信部
２Ａ  送信元端末
２Ｂ  宛先端末
【図１】
2018160202.tif 000003
【図２】
2018160202.tif 000004
【図３】
2018160202.tif 000005
【図４】
2018160202.tif 000006
【図５】
2018160202.tif 000007
【図６】
2018160202.tif 000008
【図７】
2018160202.tif 000009
【図８】
2018160202.tif 000010
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
測位部を有する送信元端末と、宛先端末と、サーバとを有するシステムの位置通知方法であって、
前記サーバは、
送信元ユーザ及び宛先ユーザのアドレスを記憶したアドレステーブルと、
送信元ユーザ及び宛先ユーザを識別可能な第１のＵＲＬ(Uniform Resource Locator)に、測位スクリプトを埋め込み且つユーザデータを入力可能な第１のページを対応付けて記憶したページ記憶部と
を有し、
送信元端末が、第１のＵＲＬに向けて第１のページ要求を送信する第１のステップと、
前記サーバが、第１のページを、送信元端末へ応答する第２のステップと、
送信元端末が、第１のページに埋め込まれた前記測位スクリプトを実行することによって前記測位部から取得された送信元位置情報と、第１のページに入力されたユーザデータとを前記サーバへ送信する第３のステップと、
前記サーバが、第１のＵＲＬで識別された宛先ユーザに基づくアドレスを宛先アドレスとし、前記送信元位置情報及び前記ユーザデータが記述されたメッセージを送信する第４のステップと
を有し、
前記ユーザデータは、第３のステップの際に又は事前に、送信元端末に対するユーザ操作によって記述されたテキストである
ことを特徴とする位置通知方法。
【請求項２】
第４のステップについて、
前記サーバは、送信元位置情報をプロットした地図を生成し、前記ユーザデータが記述されたメッセージに、当該地図を添付して送信する
ことを特徴とする請求項１に記載の位置通知方法。
【請求項３】
第４のステップについて、
前記サーバが、送信元位置情報をプロットした地図を生成し、第２のＵＲＬに、当該地図及び前記ユーザデータを含む第２のページを対応付け、
前記サーバが、宛先端末へ、第２のＵＲＬが記述されたメッセージを送信し、
宛先端末が、第２のＵＲＬに向けて第２のページ要求を送信し、
前記サーバが、宛先端末へ、第２のページを応答し、
宛先端末が、第２のページをユーザに明示する
ことを特徴とする請求項１に記載の位置通知方法。
【請求項４】
宛先端末も、測位部を有し、
第４のステップについて、
第２のページも、測位スクリプトを埋め込み且つユーザデータを入力可能なものであり、
宛先端末は、第２のページをユーザに明示した際に、第２のページに埋め込まれた前記測位スクリプトを実行することによって、前記測位部によって取得された宛先位置情報と、第２のページに入力されたユーザデータとを前記サーバへ送信し、
前記サーバが、第１のＵＲＬで識別された送信元ユーザに基づくアドレスを宛先アドレスとし、前記宛先位置情報及び前記ユーザデータが記述されたメッセージを送信する
ことを特徴とする請求項３に記載の位置通知方法。
【請求項５】
第４のステップについて、
前記サーバが、宛先位置情報をプロットした地図を生成し、第３のＵＲＬに、当該地図及び前記ユーザデータを含む第３のページを対応付け、
前記サーバが、送信元端末へ、第３のＵＲＬが記述されたメッセージを送信し、
送信元端末が、第３のＵＲＬに向けて第３のページ要求を送信し、
前記サーバが、送信元端末へ、第３のページを応答し、
送信元端末が、第３のページをユーザに明示する
ことを特徴とする請求項４に記載の位置通知方法。
【請求項６】
前記ページ記憶部は、第１のＵＲＬについて、宛先ユーザを「同報」として識別可能としており、
第４のステップについて、
前記サーバは、宛先ユーザ毎に参照テキストを予め登録しており、
前記サーバは、送信元ユーザの送信元端末から受信したユーザデータに含まれる参照テキストに対応する１つ以上の宛先ユーザを選択し、
前記サーバは、選択された１つ以上の宛先ユーザへ、前記送信元位置情報及び前記ユーザデータが記述されたメッセージを送信する
ことを特徴とする請求項１から５のいずれか１項に記載の位置通知方法。
【請求項７】
前記ユーザデータとして、送信元端末に対するユーザ操作によって発話された音声データが前記サーバへ送信され、前記サーバによって前記音声データから音声認識処理によってテキストに変換される
ことを特徴とする請求項１から６のいずれか１項に記載の位置通知方法。
【請求項８】
前記ユーザデータは、前記サーバによって第１の言語に基づくテキストから第２の言語に翻訳される
ことを特徴とする請求項１から７のいずれか１項に記載の位置通知方法。
【請求項９】
前記ユーザデータは、ユーザ固有情報が記述されたテキストである
ことを特徴とする請求項１から６のいずれか１項に記載の位置通知方法。
【請求項１０】
前記アドレスは、メールアドレス、電話番号又はアカウントであり、
前記メッセージは、
前記メールアドレスに基づく電子メール、
前記電話番号に基づくＳＭＳ(Short Message Service)のプッシュメッセージ、又は、
前記アカウントに基づくＳＮＳ(Social Networking Service)のメッセージ
である
ことを特徴とする請求項１から９のいずれか１項に記載の位置通知方法。
【請求項１１】
測位部を有する送信元端末と、宛先端末と通信する位置通知サーバにおいて、
送信元ユーザ及び宛先ユーザのアドレスを記憶したアドレステーブルと、
送信元ユーザ及び宛先ユーザを識別可能な第１のＵＲＬに、測位スクリプトを埋め込み且つユーザデータを入力可能な第１のページを対応付けて記憶したページ記憶部と、
送信元端末から、第１のＵＲＬに向けて第１のページ要求を送信するページ要求手段と、
第１のページを、送信元端末へ応答するページ応答手段と、
送信元端末から、第１のページに埋め込まれた前記測位スクリプトを実行することによって前記測位部から取得された送信元位置情報と、第１のページに入力されたユーザデータとを受信する位置情報受信手段と、
第１のＵＲＬで識別された宛先ユーザに基づくアドレスを宛先アドレスとし、前記送信元位置情報及び前記ユーザデータが記述されたメッセージを送信するメッセージ送信手段と
を有し、
前記ユーザデータは、送信元端末に対するユーザ操作によって記述されたテキストである
ことを特徴とする位置通知サーバ。
【請求項１２】
測位部を有する送信元端末と、宛先端末と通信するサーバに搭載されたコンピュータを機能させるプログラムにおいて、
送信元ユーザ及び宛先ユーザのアドレスを記憶したアドレステーブルと、
送信元ユーザ及び宛先ユーザを識別可能な第１のＵＲＬに、測位スクリプトを埋め込み且つユーザデータを入力可能な第１のページを対応付けて記憶したページ記憶部と、
送信元端末から、第１のＵＲＬに向けて第１のページ要求を送信するページ要求手段と、
第１のページを、送信元端末へ応答するページ応答手段と、
送信元端末から、第１のページに埋め込まれた前記測位スクリプトを実行することによって前記測位部から取得された送信元位置情報と、第１のページに入力されたユーザデータとを受信する位置情報受信手段と、
第１のＵＲＬで識別された宛先ユーザに基づくアドレスを宛先アドレスとし、前記送信元位置情報及び前記ユーザデータが記述されたメッセージを送信するメッセージ送信手段と
してコンピュータを機能させ、
前記ユーザデータは、送信元端末に対するユーザ操作によって記述されたテキストである
ことを特徴とするサーバ用の位置通知プログラム。
【手続補正２】
【補正対象書類名】明細書
【補正対象項目名】００１０
【補正方法】変更
【補正の内容】
【００１０】
本発明によれば、測位部を有する送信元端末と、宛先端末と、サーバとを有するシステムの位置通知方法であって、
サーバは、
送信元ユーザ及び宛先ユーザのアドレスを記憶したアドレステーブルと、
送信元ユーザ及び宛先ユーザを識別可能な第１のＵＲＬ(Uniform Resource Locator)に、測位スクリプトを埋め込み且つユーザデータを入力可能な第１のページを対応付けて記憶したページ記憶部と
を有し、
送信元端末が、第１のＵＲＬに向けて第１のページ要求を送信する第１のステップと、
サーバが、第１のページを、送信元端末へ応答する第２のステップと、
送信元端末が、第１のページに埋め込まれた測位スクリプトを実行することによって測位部から取得された送信元位置情報と、第１のページに入力されたユーザデータとをサーバへ送信する第３のステップと、
サーバが、第１のＵＲＬで識別された宛先ユーザに基づくアドレスを宛先アドレスとし、送信元位置情報及びユーザデータが記述されたメッセージを送信する第４のステップと
を有し、
ユーザデータは、第３のステップの際に又は事前に、送信元端末に対するユーザ操作によって記述されたテキストである
ことを特徴とする。
【手続補正３】
【補正対象書類名】明細書
【補正対象項目名】００１３
【補正方法】変更
【補正の内容】
【００１３】
本発明の位置通知方法における他の実施形態によれば、
宛先端末も、測位部を有し、
第４のステップについて、
第２のページも、測位スクリプトを埋め込み且つユーザデータを入力可能なものであり、
宛先端末は、第２のページをユーザに明示した際に、第２のページに埋め込まれた測位スクリプトを実行することによって、測位部によって取得された宛先位置情報と、第２のページに入力されたユーザデータとをサーバへ送信し、
サーバが、第１のＵＲＬで識別された送信元ユーザに基づくアドレスを宛先アドレスとし、宛先位置情報及びユーザデータが記述されたメッセージを送信する
ことも好ましい。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
本発明の位置通知方法における他の実施形態によれば、
ユーザデータとして、送信元端末に対するユーザ操作によって発話された音声データがサーバへ送信され、サーバによって音声データから音声認識処理によってテキストに変換されることも好ましい。
【手続補正６】
【補正対象書類名】明細書
【補正対象項目名】００１８
【補正方法】変更
【補正の内容】
【００１８】
本発明の位置通知方法における他の実施形態によれば、
ユーザデータは、サーバによって第１の言語に基づくテキストから第２の言語に翻訳されることも好ましい。
【手続補正７】
【補正対象書類名】明細書
【補正対象項目名】００１９
【補正方法】変更
【補正の内容】
【００１９】
本発明の位置通知方法における他の実施形態によれば、
ユーザデータは、ユーザ固有情報が記述されたテキストであることも好ましい。
【手続補正８】
【補正対象書類名】明細書
【補正対象項目名】００２１
【補正方法】変更
【補正の内容】
【００２１】
本発明によれば、測位部を有する送信元端末と、宛先端末と通信する位置通知サーバにおいて、
送信元ユーザ及び宛先ユーザのアドレスを記憶したアドレステーブルと、
送信元ユーザ及び宛先ユーザを識別可能な第１のＵＲＬに、測位スクリプトを埋め込み且つユーザデータを入力可能な第１のページを対応付けて記憶したページ記憶部と、
送信元端末から、第１のＵＲＬに向けて第１のページ要求を送信するページ要求手段と、
第１のページを、送信元端末へ応答するページ応答手段と、
送信元端末から、第１のページに埋め込まれた測位スクリプトを実行することによって測位部から取得された送信元位置情報と、第１のページに入力されたユーザデータとを受信する位置情報受信手段と、
第１のＵＲＬで識別された宛先ユーザに基づくアドレスを宛先アドレスとし、送信元位置情報及びユーザデータが記述されたメッセージを送信するメッセージ送信手段と
を有し、
ユーザデータは、送信元端末に対するユーザ操作によって記述されたテキストであることを特徴とする。
【手続補正９】
【補正対象書類名】明細書
【補正対象項目名】００２２
【補正方法】変更
【補正の内容】
【００２２】
本発明によれば、測位部を有する送信元端末と、宛先端末と通信するサーバに搭載されたコンピュータを機能させるプログラムにおいて、
送信元ユーザ及び宛先ユーザのアドレスを記憶したアドレステーブルと、
送信元ユーザ及び宛先ユーザを識別可能な第１のＵＲＬに、測位スクリプトを埋め込み且つユーザデータを入力可能な第１のページを対応付けて記憶したページ記憶部と、
送信元端末から、第１のＵＲＬに向けて第１のページ要求を送信するページ要求手段と、
第１のページを、送信元端末へ応答するページ応答手段と、
送信元端末から、第１のページに埋め込まれた測位スクリプトを実行することによって測位部から取得された送信元位置情報と、第１のページに入力されたユーザデータとを受信する位置情報受信手段と、
第１のＵＲＬで識別された宛先ユーザに基づくアドレスを宛先アドレスとし、送信元位置情報及びユーザデータが記述されたメッセージを送信するメッセージ送信手段と
してコンピュータを機能させ、
ユーザデータは、送信元端末に対するユーザ操作によって記述されたテキストである
ことを特徴とする。
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
測位部を有する送信元端末と、宛先端末と、サーバとを有するシステムの位置通知方法であって、
前記サーバは、
送信元ユーザ及び宛先ユーザのアドレスを記憶したアドレステーブルと、
送信元ユーザ及び宛先ユーザを識別可能な第１のＵＲＬ(Uniform Resource Locator)に、測位スクリプトを埋め込み且つユーザデータを入力可能な第１のページを対応付けて記憶したページ記憶部と
を有し、
送信元端末が、第１のＵＲＬに向けて第１のページ要求を送信する第１のステップと、
前記サーバが、第１のページを、送信元端末へ応答する第２のステップと、
送信元端末が、第１のページに埋め込まれた前記測位スクリプトを実行することによって前記測位部から取得された送信元位置情報と、第１のページに入力されたユーザデータとを前記サーバへ送信する第３のステップと、
前記サーバが、第１のＵＲＬで識別された宛先ユーザに基づくアドレスを宛先アドレスとし、前記送信元位置情報及び前記ユーザデータが記述されたメッセージを送信する第４のステップと
を有し、
前記ユーザデータは、第３のステップの際に又は事前に、
送信元端末に対するユーザ操作によって選択されたユーザ固有情報である、又は、
送信元端末に対するユーザ操作によって発話された音声データであって、前記サーバの音声認識処理によってテキストに変換されるものである
ことを特徴とする位置通知方法。
【請求項２】
第４のステップについて、
前記サーバは、送信元位置情報をプロットした地図を生成し、前記ユーザデータが記述されたメッセージに、当該地図を添付して送信する
ことを特徴とする請求項１に記載の位置通知方法。
【請求項３】
第４のステップについて、
前記サーバが、送信元位置情報をプロットした地図を生成し、第２のＵＲＬに、当該地図及び前記ユーザデータを含む第２のページを対応付け、
前記サーバが、宛先端末へ、第２のＵＲＬが記述されたメッセージを送信し、
宛先端末が、第２のＵＲＬに向けて第２のページ要求を送信し、
前記サーバが、宛先端末へ、第２のページを応答し、
宛先端末が、第２のページをユーザに明示する
ことを特徴とする請求項１に記載の位置通知方法。
【請求項４】
宛先端末も、測位部を有し、
第４のステップについて、
第２のページも、測位スクリプトを埋め込み且つユーザデータを入力可能なものであり、
宛先端末は、第２のページをユーザに明示した際に、第２のページに埋め込まれた前記測位スクリプトを実行することによって、前記測位部によって取得された宛先位置情報と、第２のページに入力されたユーザデータとを前記サーバへ送信し、
前記サーバが、第１のＵＲＬで識別された送信元ユーザに基づくアドレスを宛先アドレスとし、前記宛先位置情報及び前記ユーザデータが記述されたメッセージを送信する
ことを特徴とする請求項３に記載の位置通知方法。
【請求項５】
第４のステップについて、
前記サーバが、宛先位置情報をプロットした地図を生成し、第３のＵＲＬに、当該地図及び前記ユーザデータを含む第３のページを対応付け、
前記サーバが、送信元端末へ、第３のＵＲＬが記述されたメッセージを送信し、
送信元端末が、第３のＵＲＬに向けて第３のページ要求を送信し、
前記サーバが、送信元端末へ、第３のページを応答し、
送信元端末が、第３のページをユーザに明示する
ことを特徴とする請求項４に記載の位置通知方法。
【請求項６】
前記ページ記憶部は、第１のＵＲＬについて、宛先ユーザを「同報」として識別可能としており、
第４のステップについて、
前記サーバは、宛先ユーザ毎に参照テキストを予め登録しており、
前記サーバは、送信元ユーザの送信元端末から受信したユーザデータに含まれる参照テキストに対応する１つ以上の宛先ユーザを選択し、
前記サーバは、選択された１つ以上の宛先ユーザへ、前記送信元位置情報及び前記ユーザデータが記述されたメッセージを送信する
ことを特徴とする請求項１から５のいずれか１項に記載の位置通知方法。
【請求項７】
前記ユーザデータは、前記音声データである場合、前記サーバによって第１の言語に基づくテキストから第２の言語に翻訳される
ことを特徴とする請求項１から６のいずれか１項に記載の位置通知方法。
【請求項８】
前記アドレスは、メールアドレス、電話番号又はアカウントであり、
前記メッセージは、
前記メールアドレスに基づく電子メール、
前記電話番号に基づくＳＭＳ(Short Message Service)のプッシュメッセージ、又は、
前記アカウントに基づくＳＮＳ(Social Networking Service)のメッセージ
である
ことを特徴とする請求項１から７のいずれか１項に記載の位置通知方法。
【請求項９】
測位部を有する送信元端末と、宛先端末と通信する位置通知サーバにおいて、
送信元ユーザ及び宛先ユーザのアドレスを記憶したアドレステーブルと、
送信元ユーザ及び宛先ユーザを識別可能な第１のＵＲＬに、測位スクリプトを埋め込み且つユーザデータを入力可能な第１のページを対応付けて記憶したページ記憶部と、
送信元端末から、第１のＵＲＬに向けて第１のページ要求を送信するページ要求手段と、
第１のページを、送信元端末へ応答するページ応答手段と、
送信元端末から、第１のページに埋め込まれた前記測位スクリプトを実行することによって前記測位部から取得された送信元位置情報と、第１のページに入力されたユーザデータとを受信する位置情報受信手段と、
第１のＵＲＬで識別された宛先ユーザに基づくアドレスを宛先アドレスとし、前記送信元位置情報及び前記ユーザデータが記述されたメッセージを送信するメッセージ送信手段と
を有し、
前記ユーザデータは、第３のステップの際に又は事前に、
送信元端末に対するユーザ操作によって選択されたユーザ固有情報である、又は、
送信元端末に対するユーザ操作によって発話された音声データであって、前記サーバの音声認識処理によってテキストに変換されるものである
ことを特徴とする位置通知サーバ。
【請求項１０】
測位部を有する送信元端末と、宛先端末と通信するサーバに搭載されたコンピュータを機能させるプログラムにおいて、
送信元ユーザ及び宛先ユーザのアドレスを記憶したアドレステーブルと、
送信元ユーザ及び宛先ユーザを識別可能な第１のＵＲＬに、測位スクリプトを埋め込み且つユーザデータを入力可能な第１のページを対応付けて記憶したページ記憶部と、
送信元端末から、第１のＵＲＬに向けて第１のページ要求を送信するページ要求手段と、
第１のページを、送信元端末へ応答するページ応答手段と、
送信元端末から、第１のページに埋め込まれた前記測位スクリプトを実行することによって前記測位部から取得された送信元位置情報と、第１のページに入力されたユーザデータとを受信する位置情報受信手段と、
第１のＵＲＬで識別された宛先ユーザに基づくアドレスを宛先アドレスとし、前記送信元位置情報及び前記ユーザデータが記述されたメッセージを送信するメッセージ送信手段と
してコンピュータを機能させ、
前記ユーザデータは、第３のステップの際に又は事前に、
送信元端末に対するユーザ操作によって選択されたユーザ固有情報である、又は、
送信元端末に対するユーザ操作によって発話された音声データであって、前記サーバの音声認識処理によってテキストに変換されるものである
ことを特徴とするサーバ用の位置通知プログラム。
【手続補正２】
【補正対象書類名】明細書
【補正対象項目名】００１０
【補正方法】変更
【補正の内容】
【００１０】
本発明によれば、測位部を有する送信元端末と、宛先端末と、サーバとを有するシステムの位置通知方法であって、
サーバは、
送信元ユーザ及び宛先ユーザのアドレスを記憶したアドレステーブルと、
送信元ユーザ及び宛先ユーザを識別可能な第１のＵＲＬ(Uniform Resource Locator)に、測位スクリプトを埋め込み且つユーザデータを入力可能な第１のページを対応付けて記憶したページ記憶部と
を有し、
送信元端末が、第１のＵＲＬに向けて第１のページ要求を送信する第１のステップと、
サーバが、第１のページを、送信元端末へ応答する第２のステップと、
送信元端末が、第１のページに埋め込まれた測位スクリプトを実行することによって測位部から取得された送信元位置情報と、第１のページに入力されたユーザデータとをサーバへ送信する第３のステップと、
サーバが、第１のＵＲＬで識別された宛先ユーザに基づくアドレスを宛先アドレスとし、送信元位置情報及びユーザデータが記述されたメッセージを送信する第４のステップと
を有し、
ユーザデータは、第３のステップの際に又は事前に、
送信元端末に対するユーザ操作によって選択されたユーザ固有情報である、又は、
送信元端末に対するユーザ操作によって発話された音声データであって、サーバの音声認識処理によってテキストに変換されるものである
ことを特徴とする。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
本発明の位置通知方法における他の実施形態によれば、
ユーザデータは、音声データである場合、サーバによって第１の言語に基づくテキストから第２の言語に翻訳されることも好ましい。
【手続補正５】
【補正対象書類名】明細書
【補正対象項目名】００１９
【補正方法】削除
【補正の内容】
【手続補正６】
【補正対象書類名】明細書
【補正対象項目名】００２１
【補正方法】変更
【補正の内容】
【００２１】
本発明によれば、測位部を有する送信元端末と、宛先端末と通信する位置通知サーバにおいて、
送信元ユーザ及び宛先ユーザのアドレスを記憶したアドレステーブルと、
送信元ユーザ及び宛先ユーザを識別可能な第１のＵＲＬに、測位スクリプトを埋め込み且つユーザデータを入力可能な第１のページを対応付けて記憶したページ記憶部と、
送信元端末から、第１のＵＲＬに向けて第１のページ要求を送信するページ要求手段と、
第１のページを、送信元端末へ応答するページ応答手段と、
送信元端末から、第１のページに埋め込まれた測位スクリプトを実行することによって測位部から取得された送信元位置情報と、第１のページに入力されたユーザデータとを受信する位置情報受信手段と、
第１のＵＲＬで識別された宛先ユーザに基づくアドレスを宛先アドレスとし、送信元位置情報及びユーザデータが記述されたメッセージを送信するメッセージ送信手段と
を有し、
ユーザデータは、第３のステップの際に又は事前に、
送信元端末に対するユーザ操作によって選択されたユーザ固有情報である、又は、
送信元端末に対するユーザ操作によって発話された音声データであって、サーバの音声認識処理によってテキストに変換されるものである
ことを特徴とする。
【手続補正７】
【補正対象書類名】明細書
【補正対象項目名】００２２
【補正方法】変更
【補正の内容】
【００２２】
本発明によれば、測位部を有する送信元端末と、宛先端末と通信するサーバに搭載されたコンピュータを機能させるプログラムにおいて、
送信元ユーザ及び宛先ユーザのアドレスを記憶したアドレステーブルと、
送信元ユーザ及び宛先ユーザを識別可能な第１のＵＲＬに、測位スクリプトを埋め込み且つユーザデータを入力可能な第１のページを対応付けて記憶したページ記憶部と、
送信元端末から、第１のＵＲＬに向けて第１のページ要求を送信するページ要求手段と、
第１のページを、送信元端末へ応答するページ応答手段と、
送信元端末から、第１のページに埋め込まれた測位スクリプトを実行することによって測位部から取得された送信元位置情報と、第１のページに入力されたユーザデータとを受信する位置情報受信手段と、
第１のＵＲＬで識別された宛先ユーザに基づくアドレスを宛先アドレスとし、送信元位置情報及びユーザデータが記述されたメッセージを送信するメッセージ送信手段と
してコンピュータを機能させ、
ユーザデータは、第３のステップの際に又は事前に、
送信元端末に対するユーザ操作によって選択されたユーザ固有情報である、又は、
送信元端末に対するユーザ操作によって発話された音声データであって、サーバの音声認識処理によってテキストに変換されるものである
ことを特徴とする。